(57)【要約】  本発明はハウジング(2)を備え、ケージが表面セグメント(6)に隣接する内部空間内で少なくとも各コーナ(4)に及び／又は少なくともエッジ(5)及び／又はグリッド(19)に構成され、全ての磁石(8)が分極に応じて配向するように永久磁石(8)が前記ケージのそれぞれに閉じ込められ移動可能に配置される、プロジェクト又はグループワークにおけるプレゼンテーション及びトレーニングのためのデバイス(1)に関する。本発明によれば、ハウジング(2)は、少なくとも１つのＩＤ番号(11)を格納するデータメモリ(10)と、スイッチ(12)と、前記スイッチと接続されアンテナ(14)を有する送信機(13)とを備える電子ユニット(9)を備え、前記スイッチ(12)が動作すると、送信機が前記ＩＤ番号(11)をコントローラ(15)へ無線で通信でき、前記デバイスにプロジェクト又はグループワークの範囲で意味を割り当てる。本発明はまた、少なくとも２つのデバイス(1)を備えるセット(30)と、プレゼンテーション、トレーニング、プロジェクトワーク又はグループワークのためのこの種のセット(39)の使用と、セット(30)を用いて手動コンパイルされた仕様をデジタル化する方法と、に関する。
2020526854.tif 000002
【特許請求の範囲】
【請求項１】
内部空間（３）を含むハウジング（２）を備えるプロジェクト又はグループ作業におけるプレゼンテーション並びにトレーニングのためのツールとしてのデバイス（１）であって、前記ハウジング（２）が少なくとも３つのコーナ（４）と、前記コーナ（４）を互いに接続し、表面セグメント（６）に接する少なくとも３つのエッジ（５）と、を有し、ケージ（７）が前記表面セグメント（６）に隣接する前記内部空間（３）において、少なくとも各コーナ（４）及び／又は少なくとも前記エッジ（５）及び／又はグリッド（１９）に構成され、すべての磁石（８）が分極に応じて配向することができるように、前記ケージのそれぞれに永久磁石（８）が閉じ込められ移動可能に配置されている、デバイス（１）において、前記ハウジング（２）が、少なくとも１つのＩＤ番号（１１）が電子的に保存されたデータメモリ（１０）と、ユーザによる作動によってトリガーさせることができるスイッチ（１２）と、前記スイッチ（１２）及び前記データメモリ（１０）に接続された、アンテナ（１４）を含む送信機（１３）と、を含む電子ユニット（９）を備え、前記送信機が、前記スイッチ（１２）を作動させると、少なくとも前記ＩＤ番号（１１）をコントローラ（１５）に無線で送信することができ、前記プロジェクト又はグループ作業の範囲内で前記デバイスに意味を割り当てるさらなるプロセスをトリガーすることができる、ことを特徴とする、デバイス（１）。
【請求項２】
前記送信機（１３）が前記アンテナ（１４）を用いてコントローラ（１５）によって無線で送信されたデータ（１６）を受信することもでき、前記データ（１６）を保存の目的で前記データメモリ（１０）に転送することができることを特徴とする、請求項１に記載のデバイス（１）。
【請求項３】
前記スイッチ（１２）が、前記ユーザによって、接触、容量性、誘導性、押圧、又は近接場信号の領域への挿入によって作動させることができることを特徴とする、請求項１又は２に記載のデバイス（１）。
【請求項４】
前記スイッチ（１２）が、前記ＩＤ番号（１１）を送信するのに必要な送信エネルギーを生成するための圧電素子（１７）を装備していることを特徴とする、請求項１から３のいずれか一項に記載デバイス（１）。
【請求項５】
前記スイッチ（１２）が、近接場送信機によって作動させることができるＲＦＩＤトランスポンダ（１８）を含むこと、又は代わりに、前記スイッチ（１２）をトリガーするために、前記周辺領域からの電波からのエネルギーを使用することができることを特徴とする、請求項１から３のいずれか一項に記載のデバイス（１）。
【請求項６】
前記スイッチ（１２）が表面セグメント（６）に配置され、前記表面セグメント（６）から突出しないように平らになるように構成されていることを特徴とする、請求項１から５のいずれか一項に記載のデバイス（１）。
【請求項７】
前記ハウジング（２）が水密に閉じられていることを特徴とする、請求項１から６のいずれか一項に記載のデバイス（１）。
【請求項８】
前記コーナ（４）及びエッジ（５）が、同様のデバイス（１）のコーナ（４）、エッジ（５）、又は表面セグメント（６）に異なる角度で当接することができるようにフェーズ又は丸みを有することを特徴とする、請求項１から７のいずれか一項に記載のデバイス（１）。
【請求項９】
磁石（８）が、グリッド（１９）において前記表面セグメント（６）に隣接する前記内部空間（３）のケージ（７）に、好ましくは０．５〜１０ｃｍ、特に５ｃｍの規則的なグリッド間隔（ａ）で配置されていることを特徴とする、請求項１から８のいずれか一項に記載のデバイス（１）。
【請求項１０】
磁石（８）を含むケージ（７）が、前記表面セグメント（６）の前記領域の中心（２０）から下流の前記内部空間（３）に配置されていることを特徴とする、請求項１から９のいずれか一項に記載のデバイス（１）。
【請求項１１】
矩形、正方形、三角形、円、台形、菱形、長斜方形、直方体、円柱、ピラミッド、四面体、八面体、球形セグメント、又はそれらの組合せの形状を有することを特徴とする、請求項１から１０のいずれか一項に記載のデバイス（１）。
【請求項１２】
同じサイズ及び鏡映形状の背面セグメント（２２）が前記表面セグメント（６）の反対側に平行に配置されるようにプレート（２１）として平らになるように構成され、すべての磁石（８）が、グリッド（１９）及び／又は前記領域の中心（２０）おいて前記表面セグメント（６）に隣接する前記内部空間（３）のケージ（７）に配置され、前記磁石（８）が両方の面セグメント（６、２２）の方向に同時に作用することができるように前記背面セグメント（２２）に均等に隣接することを特徴とする、請求項１から１１のいずれか一項に記載のデバイス（１）。
【請求項１３】
電子ユニット（９）が、部屋座標ｘ、ｙ及びｚに対する前記デバイス（１）の位置を識別することができる位置センサ（２３）、他の近くのデバイス（１）を認識及び識別するための、このデバイス（１）に磁気的に固定された１つ若しくは複数のホール磁石センサ（２４）又は送受信機システム（２５）、加速度センサ（２６）並びに／或いは例えば、前記表面セグメント（６）のノックを認識することができるノイズ・センサ（２７）を備えることを特徴とする、請求項１から１２のいずれか一項に記載のデバイス（１）。
【請求項１４】
互いに直交して配向した、２つの接続されたＮＦＣトランスポンダ／受信機（２５）を含む電子システムを備えることを特徴とする、請求項１から１３のいずれか一項に記載のデバイス（１）。
【請求項１５】
前記電子ユニット（９）が、１つ若しくは複数のセンサ（２３、２４、２６、２７）によって識別された測定データ（１６）及び／又は１つ若しくは複数の送受信機システム（２５）によって識別された近くの送受信機システム（２５）の前記ＩＤ（１１）を前記コントローラ（１５）に送信することができる無線送信機（２８）を備えることを特徴とする、請求項１３又は１４に記載のデバイス（１）。
【請求項１６】
前記スイッチ（１２）が、前記作動に応答して、他の認識されたデバイス（１）のデータメモリ（１０）に保存されたデータ（１６）も前記コントローラ（１５）に送信させることができることを特徴とする、１つ若しくは複数のホール磁石センサ（２４）又は送受信機システム（２５）を備える、請求項１３から１５のいずれか一項に記載のデバイス（１）。
【請求項１７】
前記電子ユニット（９）がセンサ（２３、２４、２６、２７）、ＲＦＩＤトランスポンダ（１８）、送受信機システム（２５）、及び／又は無線送信機（１３、２８）に給電するためのエネルギー貯蔵部（２９）も備えることを特徴とする、請求項１３から１６のいずれか一項に記載のデバイス（１）。
【請求項１８】
前記エネルギー貯蔵部（２９）を非接触で充電することができることを特徴とする、請求項１７に記載のデバイス（１）。
【請求項１９】
請求項１から１８のいずれか一項に記載の複数のデバイス（１）並びにこれらのデバイス（１）に割り当てられたコントローラ（１５）を備える、プロジェクト又はグループ作業においてプレゼンテーション及びトレーニングに利用するためのセット（３０）において、一方では、前記コントローラ（１５）が、すべてのデバイス（１）に割り当てられたすべてのデバイス（１）のすべてのデータメモリ（１０）、並びに必要に応じてこれらのデバイス（１）によって識別された前記測定データ（１６）に無線アクセスし、他方では、すべてのデバイス（１）に割り当てられたすべてのデバイス（１）の前記ＩＤ番号（１１）、並びにこれらのＩＤ番号（１１）に関連する追加のデータ（１６）を含むデータベース（３１）にアクセスする、ことを特徴とする、セット（３０）。
【請求項２０】
すべてのデバイス（１）の前記センサ（２３、２４、２６、２７）及び送受信機システム（２５）で識別された前記データ（１６）を、無線を介して前記コントローラ（１５）に送信することができ、前記コントローラ（１５）が前記受信した測定データ（１６）に基づいてリストを生成する及び／又は計算を行うことができることを特徴とする、請求項１３から１８のいずれか一項に記載の複数のデバイス（１）を含む、請求項１９に記載のセット（３０）。
【請求項２１】
前記コントローラ（１５）が、前記受信したデータ及び測定データ（１６）に基づいて、前記デバイス（１）の互いの空間的配置を表す、立体を含む３次元モデルを生成することができることを特徴とする、請求項２０に記載のセット（３０）。
【請求項２２】
前記コントローラ（１５）が、前記受信したデータ及び測定データ（１６）に基づいて、例えば、スクラム・ボード若しくはかんばんボード表示、プロセススケジュール、プロジェクトスケジュール、タイムスケジュール、開発スケジュール、生産スケジュール、組織図、又は販売計画などの、内部論理接続を含むモデルプラン（３４）を生成することができることを特徴とする、請求項２０又は２１に記載のセット（３０）。
【請求項２３】
前記デバイス（１）の前記エネルギー貯蔵部（２９）を充電することができる充電ステーション（３２）を含む、請求項１８に記載の複数のデバイスを備える、請求項１９から２２のいずれか一項に記載のセット（３０）。
【請求項２４】
請求項１９から２３のいずれか一項に記載のセット（３０）、並びに前記コントローラ（１５）に接続された少なくとも１つの電子モジュール（３３）を使用して、手動でコンパイルされた仕様をデジタル化するための方法において、
ａ）作業プロセスにおいて、２つ以上のデバイス（１）が、コントローラ（１５）を含む部屋に配置され、それらの磁石（８）によって互いに固定されているステップと、
ｂ）デバイス（１）の少なくとも１つのスイッチ（１２）を作動させるステップと、
ｃ）少なくとも前記それぞれのデバイス（１）の前記ＩＤ番号（１１）が前記コントローラ（１５）に送信されるステップと、
ｄ）前記コントローラ（１５）が前記データベース（３１）にアクセスし、保存されているこのデバイス（１）の前記ＩＤ番号（１１）に関するデータ（１６）を取り出すステップと、
ｅ）任意選択で、このデータ（１６）に基づいて、前記コントローラ（１５）が前記電子モジュール（３３）に命令を出すステップと、
ｆ）同じ又は異なる電子モジュール（３３）が前記ユーザによって入力された情報を前記コントローラ（１５）に送信するステップと、
ｇ）前記コントローラ（１５）が前記受信した情報を前記データベースにデジタル的に保存するステップと、
を特徴とする方法。
【請求項２５】
磁石（８）で一緒に保持された複数のデバイス（１）が一緒にまとめられ、それによってスイッチ（１２）を作動させる前に、３次元構造が作成されることを特徴とする、請求項２４に記載の方法。
【請求項２６】
前記コントローラ（１５）が、これに接続されたすべてのデバイス（１）に、そこに一体化されたすべてのセンサ（２３、２４、２６、２７）及びに送受信機システム（２５）よって識別されたデータ（１６）を定期的に連続的に問い合わせ、このデータを前記対応するデバイス（１）に割り当て、前記データベース（３１）に保存することを特徴とする、請求項２４又は２５に記載の方法。
【請求項２７】
前記デバイス（１）の前記電子ユニット（９）が、これに磁気的に固定された近くの他のデバイス（１）を認識及び識別するための送受信機システム（２５）を備え、これによって、エネルギー並びに情報が、複数のデバイス（１）を介してそれぞれの近くの送受信機システム（２５）を介して輸送及び返送され、最終的に、前記収集された情報が前記コントローラ（１５）に送信されることを特徴とする、請求項２４から２６のいずれか一項に記載の方法。
【請求項２８】
第１のデバイス（１）から２又は３〜８、好ましくは最大１２又は１５段離れてカスケード状に配置されたデバイス（１）の情報が収集及び転送されることを特徴とする、請求項２７に記載の方法。
【請求項２９】
信号応答の強度に基づいた情報が前記コントローラ（１５）にさらに送信され、これにより、近くに配置された前記デバイス（１）の距離の推定が可能になることを特徴とする、請求項２７又は２８に記載の方法。
【請求項３０】
前記デバイス（１）の前記スイッチ（１２）のうちの１つを作動させることにより、前記電子ユニット（９）に一体化された前記センサ（２３、２４、２６、２７）及び送受信機システム（２５）の前記データ（１６）も前記コントローラ（１５）に転送されることを特徴とする、請求項２４から２９のいずれか一項に記載の方法。
【請求項３１】
１つ又は複数の前記デバイス（１）からのデータ（１６）の受信後、前記コントローラ（１５）がこのデータ（１６）を評価し、前記コントローラ（１５）が接続されたさらなる電子モジュール（３３）に、仕様に従って、命令を出すことを特徴とする、請求項２４から３０のいずれか一項に記載の方法。
【請求項３２】
前記コントローラ（１５）が前記結合されたデバイス（１）の前記空間的配置を識別し、それらを保存し、及びそれらをこの目的に適したモジュール（３３）にグラフィカルに示すことを特徴とする、請求項２４から３１のいずれか一項に記載の方法。
【請求項３３】
前記コントローラ（１５）が、その受信したデータ（１６）に基づいて並びに前記データベース（３１）からの前記情報に基づいてさらなるリストを生成し、計算を実行し、並びに／或いは例えば、ビジネスプラン、プロジェクトスケジュール、プロセススケジュール、青写真、又はスクラム若しくはかんばんボード表示などの提案又はプランを作成することを特徴とする、請求項２４から３１のいずれか一項に記載の方法。
【発明の詳細な説明】
【技術分野】
【０００１】
本発明は、プロジェクト又はグループ作業におけるプレゼンテーション及びトレーニングのための、内部空間を含むハウジングを備えるデバイスに関し、ハウジングは、少なくとも３つのコーナと、コーナを互いに接続し、表面セグメントに接する少なくとも３つのエッジと、を有する。ケージは、表面セグメントに隣接する、少なくとも各コーナ及び／又は少なくともエッジ及び／又はグリッドにおいて内部空間に構成され、すべての磁石が分極に応じて配向することができるように、ケージのそれぞれに、永久磁石が閉じ込められ移動可能に配置されている。本発明は、この種のデバイスを備えるセット並びにこの種のセットの利用、及びこのセットを利用する方法にも関する。
【背景技術】
【０００２】
この種のデバイスは知られているが、上記以外の目的のためであり、特に玩具産業で使用されている。例えば、磁石のために互いにくっついたプレートが構成され、それにより、子供たちが、このプレートで、例えば、家や他の３次元構造体を表すアセンブリを作成することができる。
【０００３】
しかしながら、本発明は、玩具に関するものではなく、プレゼンテーション、トレーニング、プロジェクト、及びグループ作業のための教訓的なツールに関する。例えば、ブレーン・ストーミングのプロセスでは、様々な参加者からの入力がある特定のやり方で収集、記録、及び表示される。例えば、キーワードを粘着性のあるメモ用紙に書くことができ、ボードにランダムにくっつけ、関連付けを視覚的に表示するために移動させることができる。他の出版物から壁サイズの電子タッチスクリーン・ディスプレイが知られており、そこに表示される情報を、ほんのわずかな手の動きでそれぞれ拡大又は最小化、移動、補足、或いは削除することができる。新しい情報は、タブレット、スマートフォン、又はコンピュータを用いて壁にアップロードすることができる。
【０００４】
これらのツールはすべて、極めて限られており、表示された情報を物理的に分離することはほとんどできない。このやり方では支援も提供されない。
【０００５】
米国特許出願公開第２０１２／０２５８４３６Ａ１号は、キューブの形態の上述のコンポーネントを記載しており、この助けを借りて、治療目的のために被験者の運動能力及び認知能力が分析及び監視される。被験者は、例えば、すべての面に印刷されたブロックを用いて、所与の対象物を複製するか、他の問題を解決しなければならない。次の問題の難易度が、問題を解決するための決定された時間に基づいている。
【先行技術文献】
【特許文献】
【０００６】
【特許文献１】米国特許出願公開第２０１２／０２５８４３６Ａ１号
【発明の概要】
【発明が解決しようとする課題】
【０００７】
本発明の目的は、それぞれのプロジェクト又はグループ作業に関連して個々の意味を割り当てることができ、作業プロセスにおいて物理的に結合及び分離されて部分的若しくは全体的な結果を形成することができる、プロジェクト又はグループ作業におけるプレゼンテーション及びトレーニングのための上述のタイプのツールを提供することである。加えて、ツールは、所望の時点でコントローラにそれぞれの結果を電子的に識別させ、並びに所望の時点でコントローラにさらなる情報を提供することができる必要がある。個々のデバイスに意味を割り当てることが可能であるべきであり、それによってこの種の複数のデバイスの構造が、想定される作業の範囲内で意味を表すことができる。その後、結果がコントローラによって電子的に評価され、適切な形態で表示される必要がある。本発明のさらなる目的は、さらなるモジュール又は器具に、保存された情報を所望の時点で表示させることである。本目的は、対応する方法の場合の手順の説明も含む。この種のツール及びコントローラを備えるシステムは、特に所望の時点で支援を提供することができる必要がある。これは、特に、命令又は選択プロセスの形態で行われる必要がある。
【課題を解決するための手段】
【０００８】
本目的は、セット、セットの補助デバイス、このセットの利用、並びにこのセットを利用する方法を記載する各クレームカテゴリの独立請求項によって解決される。さらなる有利な実施形態は、従属請求項に明記されている。補助デバイスは、すべての既存のセットを任意の所望のやり方で拡張することができる、請求項１に記載されているデバイスである。
【０００９】
本発明によると、この種の上述のデバイスのハウジングは、少なくとも１つのＩＤ番号が電子的に保存されたデータメモリを含む電子ユニットを備える。加えて、このユニットには、ユーザの作動によってトリガーされるスイッチ、並びにスイッチ及びデータメモリに接続された、アンテナを備える送信機が設けられ、この送信機は、スイッチが作動したときに、少なくともＩＤ番号をコントローラに無線で送信することができ、プロジェクト又はグループ作業の範囲内でデバイスに意味を割り当てるなどの、さらなるプロセスをトリガーすることができる。
【００１０】
スイッチにより、ユーザは、このデバイスへの意味の形態で割り当てを確立するために、自分が望む時点で問い合わせをトリガー、又はプログラムを開始することができる。例えば、コントローラに接続されたカメラによって撮影された次の写真が、対応するデバイスに割り当てられるようにすることができる。したがって、ある特定の人物、例えば、個々の活動分野の意思決定者を個々のデバイスに割り当てることができる。又は、キーパッドの形態の入力デバイスは、個々のデバイスに異なる流通チャンネルを割り当てるために、「ウェブショップ」、「マーケットストール」、又は「ショップ・イン・ショップ」などの意味を識別することができる。
【００１１】
本発明によるセットは、この種の複数のデバイスと、すべてのデバイスに割り当てられた、すべてのデバイスのすべてのデータメモリ、並びに該当する場合は、これらのデバイスによって識別された測定データに無線アクセスするコントローラと、を有する。加えて、コントローラは、すべてのデバイスに割り当てられたすべてのデバイスのＩＤ番号、並びにこれらのＩＤ番号に関連する追加のデータを含むデータベースにアクセスする。
【００１２】
本発明によるセットは、情報を個々のデバイスに割り当てることができるため、個々のデバイスを一緒に結合してグループ又は構造を形成することができるため、並びにこのようにして生成された関連付け及び因果関係に関する情報をコントローラによって内部ロジックとリンクするように処理することができるため、プロジェクト並びにグループ作業に関連するプレゼンテーション及びトレーニングに利用するのに適している。コントローラがどのようにプログラムされるかに応じて、結果は、ある特定の情報を投影壁に表示する表現、又はスケジュール、例えば、構造において指定された命令及びスケジュールのガイドラインが考慮されている場合は、プロジェクトスケジュールなどのプランとすることができる。
【００１３】
本発明による方法は、この種のセットを使用して、手動でコンパイルされた仕様をデジタル化する方法を記載する。それによって、作業プロセスにおいて、２つ以上のデバイスがコントローラを含む部屋に配置され、それらの磁石によって互いに固定される。続いて、デバイスの少なくとも１つのスイッチを作動させ、それによって少なくともそれぞれのデバイスのＩＤ番号がコントローラに送信される。コントローラは、データベースにアクセスし、保存されているこのデバイスのＩＤ番号に関するデータを取り出す。このデータに基づいて、コントローラは、接続されているさらなる電子モジュールに命令を出す。
【００１４】
これは、例えば、さらなる命令又は最初の洞察を含むある特定の情報をディスプレイに表示することであってもよい。
【００１５】
簡単な例では、参加者は、食事、オムレツの準備を計画する必要がある。参加者は、第１のデバイスを受け取り、スイッチを作動させる。コントローラは、例えばＩＤ番号０１によってデバイスを識別し、データがこの目的のためにまだ保存されていないことを認識する。したがって、このデバイスに意味を与えるようにユーザに求める。この要求は、音響的に、又はディスプレイに表示することによって行うことができる。ユーザは、ペンを取り、デバイスに「生地を準備する」と書き込み、この情報をコントローラにも伝える。これは、音響的に行うことができ、それによって音声認識がそこから対応するテキストを生成する。他方では、次に生成される画像をこのＩＤ番号に自動的に割り当てる、対応するカメラ又はビデオカメラを利用することができる。言うまでもなく、テキストを、例えば、キーパッド又は手書きによってタブレットに入力し、続いて文字認識によって処理することもできる。
【００１６】
ここで、ＩＤ番号０１を有するデバイスは、「生地を準備する」という割り当て又は意味を受け取り、対応する情報がＩＤ番号０１のデータベースに保存される。その後、プロセスが繰り返され、それにより、例えば「生地を焼く」、「詰め物を準備する」、「テーブルをセットする」、及び「買い物をする」がさらなるデバイスに割り当てられる。ここで、個々の作業パッケージは、「生地を準備する」の各作業ステップを、例えば、「生地の材料の計量」、「生地の材料を混合する」、「生地をかき混ぜる」、「生地を寝かせる」などのさらなるデバイスに割り当てることで、さらに絞り込むことができる。ここで、これらの個々のデバイスは、それらの永久磁石によって第１のデバイス「生地を準備する」に取り付けることができ、それによって３次元構造を生成することができる。それらの関連付けを電子的に識別するために、例えば、「生地を準備する」のスイッチを作動させ、続いて割り当てられたデバイスのすべてのスイッチを作動させ、続いて、最後に、第１のデバイスを再作動させることによって完了することができる。ここで、コントローラは、どのデバイスがグループを形成するために組み合わされているかを認識する。このステップは、グループとしての「材料を計量する」を、それぞれの個々の材料を含むより小さな個々のパケットに再分割することで、さらに絞り込むことができる。
【００１７】
各グループの参加者がそのベースプレートに個々のタスクを装備した後、ここで配置することができる複数のデバイスグループが部屋に配置される。ここで、対応するスイッチを作動させた後、例えば、音声コマンドによって「生地を焼く前に生地を準備する」又は「詰め物を準備する間、生地を寝かせる」が話されたかどうかの追加の情報をコントローラに与えることができる。
【００１８】
これと並行して、コントローラは、受信した情報を、例えば、グラフィカルに又は表形式で表示することができる。加えて、個々の活動の期間、活動に必要な作業者の数及び／又はそれに関連する費用に関する詳細などのさらなる情報をコントローラに送信することができる。
【００１９】
どんな種類のプロセスが開発されるべきかに応じて、コントローラは、それに応じてプログラムされなければならず、又はそれぞれの適切なプログラムを既存のプログラムから選択する必要がある。コントローラは、詳細を評価することができ、総コスト、総所要時間、必要な作業者数などの計算を行うことができる。したがって、コントローラは、例えば、すべてのデバイスがそれ相応に入力されるある特定の質量、順番、間隔、及び配向を含むキッチンユニットを表す場合、線形化されたイベントログ、スクリーン・プレゼンテーション、又はウェブサイトのみならず、プロジェクトスケジュール、又はマインド・マップの形態のグラフィック表現も、又は建築モデルも作成することができる。
【００２０】
本発明に関する本発明によるものは、ユーザとコントローラとの間の双方向の相互作用であり、これは、スイッチによって可能になる。コントローラがスイッチの信号を識別し、そのデバイスを、ＩＤ番号を送信することによって認識するとすぐに、前記コントローラは、認識した仕様に基づいて命令を与え及び／又は受け取ることができる。ＩＤ番号の送信が極めてわずかのエネルギーしか必要としないという事実により、デバイスは、通常、エネルギー貯蔵部なしですませることができる。ＩＤ番号及びさらなるデータの送信に必要なエネルギーは、必要に応じて、例えば、周辺領域から得ることができ、又はスイッチ自体を押したときに圧電性結晶によって生成することができる。このことは、本発明によるデバイスの簡単で費用対効果の大きい構造を保証する。スイッチ自体は、好ましくは、平らになるように構成され、スイッチが取り付けられた表面から突出しない。したがって、本発明による第２のデバイスは、スイッチを含む表面に平らに取り付けることができ、これによって信号をトリガーすることがない。デバイスがさらなるデバイスの近接を認識することができるホールセンサを有する場合、本発明による第２のデバイスのスイッチの作動によって、第１のデバイスが第２のデバイスに接続されているという情報をさらに送信することができ、これによって、これらの２つのデバイスをグループとして識別することができる。それぞれのプロジェクト作業に対してコントローラで選択されたプログラムに応じて、スイッチの作動により異なる機能をトリガーすることができる。
【００２１】
本発明は、図面を参照して以下で詳細に説明される。
【図面の簡単な説明】
【００２２】
【図１】本発明によるデバイス及びコントローラの概略図である。
【図２】断面Ａ−Ａにおける図１によるデバイスの内部斜視図である。
【図３】圧電素子を備えるスイッチの概略図である。
【図４】本発明によるデバイスの３次元構造の概略図である。
【図５】複数のデバイスと、さらなる電子モジュールが接続されたコントローラと、充電ステーションと、を備える本発明によるセットの概略図である。
【図６】モデル、又はモデルプランの例である。
【図７】エネルギー及び情報を送受信するためのデバイスである。
【発明の実施するための形態】
【００２３】
部分的に一緒に結合されて３次元構造体を形成する本発明による様々なデバイス１が、図１、図４、及び図５に示されている。図２は、この種のデバイス１の内部空間を断面で示す。これらのデバイス１のそれぞれは、内部空間３を含むハウジング２を備え、ハウジング２は、少なくとも３つのコーナ４と、コーナ４を互いに接続し、表面セグメント６に接する少なくとも３つのエッジ５と、を有する。ケージ７が、少なくとも各コーナ４及び／又は少なくともエッジ５及び／又はグリッド１９の、表面要素６に隣接する内部空間３に構成されており、すべての磁石８が分極に応じて配向することができるように、永久磁石８が前記ケージのそれぞれに閉じ込められ移動可能に配置されている。ここでは至る所に丸い磁石８が示されているものの、他の形状の磁石８、例えば、円筒状磁石も同様に使用され得る。ケージ７は、配向に必要な磁石８の可動性を可能にするのに十分に大きくなければならない。加えて、ケージは、磁石８の限られた局所的変位も許容されるようにより大きく構成されてもよい。これは、例えば、三角形のデバイス１を球形セグメント形状のデバイス１に接続させる必要があるため、デバイス１を異なる磁石位置を有する磁石８に固定しなければならない場合に、必要になることがある。ケージ７は、好ましくは、デバイス１を移動させる際の望ましくないノイズを回避又は低減させるために、遮音材料、例えば、フェルトで裏打ちされている。
【００２４】
本発明によると、ハウジング２は、少なくとも１つのＩＤ番号１１が電子的に保存されたデータメモリ１０と、ユーザによる作動によってトリガーすることができるスイッチ１２と、スイッチ１２及びデータメモリ１０に接続された送信機１３と、アンテナ１４と、を含む電子ユニット９を備え、送信機は、スイッチ１２の作動時に、少なくともＩＤ番号１１をコントローラ１５に無線送信することができる。加えて、これによって、プロジェクト又はグループ作業の範囲内で意味をデバイス１に割り当てる、さらなるプロセスがトリガーされ得る。
【００２５】
この種の電子ユニット９は、エネルギー貯蔵部なしですませることができ、したがって極めて費用対効果が大きく、ユーザ・フレンドリーである。ＩＤ番号１１は、データ１６の形態でコントローラ１５に送信され、それに応じて、コントローラ１５は、それが操作されるプログラムに応じて、受信時に反応する。言及された例によると、前記コントローラは、情報をこのデバイス１に送信するようにユーザに求めることができる。最後に、コントローラ１５は、対応する情報をこの目的のために設けられたデータベース３１に保存する。さらなる電子モジュール３３、例えば、マイクロホン及びスピーカは、通信が音響的及び音声認識で行われる場合に、ユーザとの通信に使用される。スクリーン及びキーパッド、文字認識モジュール、例えば、ペン若しくは画像処理を備えたタッチスクリーン、又はカメラ若しくはビデオカメラが電子モジュール３３の他の選択肢である。
【００２６】
電子ユニット９の送信機１３は、好ましくは、コントローラ１５によって無線で送信されたデータ１６をアンテナ１４によって受信することができ、このデータを保存の目的でデータメモリ１０に転送することができる。スイッチ１２は、様々なやり方でユーザによって作動させることができる。接触、容量性、誘導性、押圧、又は近接場信号の領域への挿入による作動が特に適していることが証明されている。作動は、それによって、必要なデータ１６をコントローラ１５に送信するのに十分なエネルギーを送信機１３にもたらすことができる場合に、特に有利である。スイッチ１２には、特に、ＩＤ番号１１を送信するのに必要な送信エネルギーを生成するための圧電素子１７を設けることができる。可能な例示的な実施形態が図３に示されており、この場合、ハウジング２は、圧電素子１７の周りの支持体の周りに壁厚を薄くした膜２ａとして構成されている。ユーザによって素子１７に加えられたエネルギーは、電圧に変換され、その後、データ１６を送信するために使用され得る。これに代えて、図１に示されるように、スイッチ１２は、近接場送信機によって作動させることができるＲＦＩＤトランスポンダ１８を含むことができ、これによってスイッチ１２がトリガーされる。近接場送信機によってもたらされるエネルギーも、ＩＤ番号１１をコントローラ１５に送信するのに十分である。言及されたすべての例について、エネルギー貯蔵部を設ける必要がない。加えて又は代わりに、周辺領域からの電波からのエネルギーがデータを送信するために使用されてもよい。
【００２７】
デバイス１が電子ユニット９を含むという事実のために、ハウジング２が水密になるように構成することが好都合であることが判明した。したがって、表面を洗浄する際に、デバイス１は、洗浄によって損傷を受けることなく、浴に浸すことができる。
【００２８】
デバイス１は、そのコーナ４及びエッジ５がフェーズ（ｐｈａｓｅ）又は丸みを有する場合、さらなる利点を有する。この種のデバイス１は、同様のデバイス１のコーナ４、エッジ５、又は表面セグメント６に異なる角度で当接することができる。
【００２９】
磁石８が、グリッド１９において表面セグメント６に隣接する内部空間３のデバイス１のケージ７に、好ましくは０．５〜１０ｃｍ、特に５ｃｍの規則正しいグリッド間隔ａで配置される場合に、さらなる利点も提供される。これは、矩形又は立方体の形状を持たないデバイス１の場合には必ずしも順守できるとは限らない。したがって、磁石８が限られた程度までしか移動することができない場合、より大きなケージ７が有利である。加えて、磁石８を含むケージ７は、好ましくは、表面セグメント６の領域の中心２０から下流の内部空間３に配置される。
【００３０】
デバイス１は、好ましくは、正方形、矩形、三角形、円、台形、菱形、長斜方形、直方体、円柱、ピラミッド、四面体、八面体、球形セグメント、又はそれらの組合せ或いはそれらの一部の形状を有する。あらゆる種類のプラトンの立体が自由形状を有する立体よりも適している。特に、同じサイズ及び鏡映形状の背面セグメント２２が、いずれの場合も、表面セグメント６の反対側に平行に配置されるように、プレート２１として平らになるように構成されたデバイス１が適している。グリッド１９及び／又は領域の中心２０において表面セグメント６に隣接する内部空間３のケージ７に配置されたすべての磁石８は、両方の面セグメント６、２２の方向に同時に作用するように、背面セグメント２２に均等に隣接している。この種のプレート２１は、図４及び図５にも示されているように、多用途に、３次元的にも組み立てることができる。図４では、４つの三角形のプレート２がピラミッドを形成するために一緒に保持されている。電子ユニット９は、明瞭にするために示されていない。
【００３１】
本発明によると、デバイス１の電子ユニット９は、部屋座標ｘ、ｙ、及びｚに対してデバイス１の位置を識別することができる位置センサ２３を備えることができる。これによって、例えば、プレート２１が立っているか、横になっているかを認識することができる。代わりに又は加えて、電子ユニット９は、このデバイス１に磁気的に固定された他の近くのデバイス１を認識及び識別するための１つ又は複数のホール磁石センサ２４又は送受信機システム２５を含むことができる。この目的のために、ホール磁石センサ２４は、好ましくは磁石８のそれぞれにできるだけ近くに取り付けられ、送受信機システム２５は、好ましくはグリッド間の中央に配置される。特に、ＮＦＣトランスポンダ／受信機が送受信機システム２５として適している。情報とは別に、これらの双方向通信の近接場送信機／受信機は、エネルギーを受信機に送信することもできる。加えて、これらの近接場送信機／受信機は、例えば、それらのデバイス１のＩＤ番号１１と、それぞれの送受信機システム２５が配置されたこのデバイス１の位置に関連する詳細も含む、拡張ＩＤ番号を有する。使用中、送受信機システム２５は、せいぜい隣接するデバイス１の複数の他の送受信機システム２５を識別することができるが、信号強度は異なる。信号強度は、自デバイス１に対する隣接デバイス１の正確な配置を適切に識別することができるように、評価に応じて考慮することができる。センサ２３、２４、２６、２７及び送受信機システム２５への電気的接続は、明瞭さを確保するように図ではところどころにのみ示されている。
【００３２】
これに代えて又は加えて、電子ユニット９は、加速度センサ２６及び／又はノイズ・センサ２６を含むことができる。ノイズ・センサ２６は、例えば、表面セグメント６のノックを認識することができる。互いに取り付けられているすべてデバイス１が、一緒につまみ上げられ、別の場所に運ばれる場合、コントローラは、それらの加速度センサが同期して反応することで、これらのすべてのデバイス１のグループ関連付けを認識することができる。同じことは、ノッキングノイズを適切に送信することができる場合、グループを形成するように接続されているすべてのデバイス１の場合のノッキングの同時識別の場合にも当てはまる。
【００３３】
これに加えて又は代えて、デバイス１の電子ユニット９は、１つ若しくは複数のセンサ２３、２４、２６、２７によって識別された測定データ１６、及び／又は１つ若しくは複数の送受信機システム２５によって識別された近くの送受信機システム２５のＩＤ１１をコントローラ１５に送信することができる無線送信機２８を備えることができる。この無線送信機２８は、アンテナ１４を備えた無線送信機１３であってもよく、これによって、ＩＤ番号１１がコントローラ２５に送信され、又はこの目的のために、さらなる無線送信機２８が配置されてもよい。
【００３４】
１つ又は複数のホール磁石センサ２４又は送受信機システム２５を備えるデバイス１の場合、スイッチ１２は、作動に応答して、他の認識されたデバイス１のデータメモリ１０に保存されたデータ１６もコントローラ１５に送信するようにさせることができる。この種のデバイス１の電子ユニット９は、好ましくは、センサ２３、２４、２６、２７、送受信機システム２５、ＲＦＩＤトランスポンダ１８及び／又は無線送信機１３、２８に給電するためのエネルギー貯蔵部２９も有する。しかしながら、直接又は間接的に当接する他のデバイス１は、前記エネルギー貯蔵部を介して給電され得るため、グループ毎に１つのデバイス１がこの種のエネルギー貯蔵部２９を有していれば十分であることに留意することが重要である。エネルギー貯蔵部２９は、好ましくは、非接触で充電され得る。これにより、ハウジング２を水密に構築することが容易になる。加えて、充電時にすべてのデバイスがケーブルに接続されている必要はなく、デバイスをそれぞれの充電ステーションに近づけるだけで十分である。
【００３５】
図５は、この種の複数のデバイス１、並びにこれらのデバイス１に割り当てられたコントローラ１５を備える本発明によるセット３０を示す。コントローラ１５は、デバイス１がセンサ２３、２４、２６、２７及び／又は送受信機システム２５を含む場合、コントローラ１５に割り当てられたすべてのデバイス１のすべてのデータメモリ１０、並びにこれらのデバイス１によって識別された測定データ１６に無線アクセスする。加えて、コントローラ１５は、すべてのデバイス１に割り当てられたすべてのデバイス１のＩＤ番号１１、並びにこれらのＩＤ番号１１に関連する追加のデータ１６を含むデータベース３１にアクセスする。
【００３６】
この追加のデータ１６は、作業プロセス中にユーザによって識別された情報、或いはデバイス１に関連する情報、例えば、その形状に関連する詳細、その磁石８の数と配置、及び／又はそのセンサ２３、２４、２６、２７、及び／又は送受信機システム２５に関連する詳細であってもよい。作業プロセスの開始時に、例えば、このデバイス１に関連するデータ１６がまだ保存されていないという情報は、データベース３１から収集することができる。
【００３７】
セット３０のデバイス１の個々の又は複数の電子ユニット９が、１つ又は複数のセンサ２３、２４、２６、２７及び／又は送受信機システム２５を含む場合、これらによって決定されたデータ１６も、好ましくは無線を介してコントローラ１５に送信され得て、それにより、コントローラ１５は、受信した測定データ１６に基づいてリストを生成及び／又は計算することができる。或いは、コントローラ１５は、データ及び測定データ１６に基づいて、デバイス１の互いに対する空間的配置を表す立体を含む３次元モデルを生成することができる。コントローラ１５は、このモデルから、特に、例えば、スクラム／かんばんボード表示、プロセススケジュール、プロジェクトスケジュール、タイムスケジュール、開発スケジュール、生産スケジュール、組織図、ＳＷＯＴマトリックス、バリューチェーン分析、又は販売計画などの内部論理接続を含むモデルプラン３４を生成することができる。これは、セット３０に利用されるソフトウェア及びその設定に依存する。したがって、同じセット３０を、例えば、建築部品の視覚化並びにビジネス計画の確立のために利用することができる。
【００３８】
セット３０は、デバイス１のエネルギー貯蔵部２９を充電することができる充電ステーション３２で補うことができる。この充電ステーション３２は、デバイス１を輸送することができ、貯蔵に応じてデバイス１を充電するための主電源に接続することができるキャリングケースの形状を有することができる。したがって、デバイス１は、翌日再びすぐに使用することができるように、常に一晩快適に充電することができる。再充電可能なエネルギー貯蔵部２９の利点は、作業プロセス中にバッテリを交換する必要がないということである。加えて、そのため、デバイス１のハウジング２を開く必要がなく、これは、ハウジングの水密性を低下させる可能性がある。
【００３９】
特に利用目的のために選択又は適合されたソフトウェア、並びに一方ではユーザとの通信及び情報入力のためであるが、他方では中間結果及び最終結果の表示のためにも設けられたそれぞれの目的に適した電子モジュール３３とともに、セット３０は、プロジェクトに従って動作するシステムを形成する。電子モジュール３３、例えば、スピーカ、プロジェタ、スクリーン、タブレット、グラフィックタブレット、タッチスクリーン、キーパッド、スマートフォン、及び／又はデータのインタラクティブな入力のためのマイクロホンは、ある程度は既に会議室に存在する場合があり、及び／又は参加者又はモデレータによって提供される場合がある。したがって、個別に購入することができるソフトウェアは、電子モジュール３３とともに、完成したシステムに属するが、個別に購入することもできるセット３０には属さない。加えて、個々のデバイス１は、セットを拡張するために、追加のコンポーネントとして個別に提供される。これが、個々のデバイス１に対してのみ保護が請求される理由である。
【００４０】
本発明によると、セット３０は、モデレーション、トレーニング、プロジェクト作業又はグループ作業に利用されるべきである。
【００４１】
セット３０のコントローラ１５に接続された少なくとも１つの電子モジュール３３とともに、本発明によるセット３０は、手動でコンパイルされた仕様をデジタル化する方法を実行するために利用することができる。本発明によるこの方法は、以下のステップを含む。（ａ）作業プロセスにおいて、２つ以上のデバイス１がコントローラ１５を含む部屋に配置され、それらの磁石８によって互いに固定される。（ｂ）デバイス１の少なくとも１つのスイッチ１２を作動させる。（ｃ）少なくともそれぞれのデバイス１のＩＤ番号１１がコントローラ１５に送信される。（ｄ）コントローラ１５は、データベース３１にアクセスし、保存されているこのデバイス１のＩＤ番号１１に関するデータ１６を取り出す。（ｅ）（任意選択で）このデータ１６に基づいて、コントローラ１５は、電子モジュール３３に命令を出す。（ｆ）同じ又は異なる電子モジュール３３は、ユーザによって入力された情報をコントローラ１５に送信する。（ｇ）コントローラ１５は、受信した情報をデータベース３１にデジタル的に保存する。
【００４２】
電子モジュール３３へのステップ（ｅ）の命令は、例えば、次の写真がすぐにコントローラ１５に送信されることをカメラに知らせること、又は別のモジュール３３、例えばタブレットに、次に得られた情報をコントローラに送信することが次であることを知らせることのみである。プロセスが非常に単純に維持され、単一のデバイスのみが利用可能な場合、このステップ（ｅ）もスキップすることができる。
【００４３】
磁石８によって一緒に保持されている複数のデバイス１は、好ましくは一緒にされ、それによってスイッチ１２が作動する前に、３次元構造が作成される。例えば、小さなデバイス１のより小さなブロックも構築することができ、このブロックが、より大きなデバイス１のより大きなブロックによって囲まれる。一体化という形態での関連付けをこのようにして視覚化することができる。意味が表示される場合、作業は、特に、デバイス１の様々なサイズを用いて象徴的に行うことができる。
【００４４】
好ましい方法では、コントローラ１５は、これに接続されたすべてのデバイス１に、そこに一体化されたすべてのセンサ２３、２４、２６、２７及び送受信機システム２５によって識別されたデータ１６を定期的に連続的に問い合わせる。前記コントローラは、続いてこのデータを対応するデバイス１に割り当て、データベース３１に保存する。したがって、変更された関連付けは、自動的に識別され、各デバイス１のスイッチの作動は、デバイスに名前又は意味を割り当てるために、及び／又はデバイスからの支援を求めるためにのみなお必要な場合がある。これらは、ソフトウェアを介して保存されてもよく、例えば、次のステップの手順に関する基本的な情報を含むことができる。
【００４５】
デバイス１の電子ユニット９が、デバイス１に磁気的に固定された近くの他のデバイス１を認識及び識別するための送受信機システム２５を備える場合、エネルギー並びに情報は、複数のデバイス１を介してそれぞれの近くの送受信機システム２５を介して再び輸送及び返送され得る。最後に、異なる段階で互いに取り付けられた複数のデバイス１から生じるこの収集された情報量は、収集された仕方でコントローラ１５に送信される。この目的のために、デバイス１のうちの第１のデバイス１のみが、エネルギー貯蔵部２９によって給電されなければならない。他のデバイス１は、合計で最大８つまでのデバイスが、情報を収集することができるように、送受信機システム２５によって十分に給電される。
【００４６】
デバイス１のスイッチ１２のうちの１つを作動させることで、電子ユニット９に一体化されたセンサ２３、２４、２６、２７並びに／又は送受信機システム２５のデータ１６も、好ましくはコントローラ１５に転送される。
【００４７】
デバイス１のうちの１つ又は複数からデータ１６を受信した後、コントローラ１５は、好ましくはこのデータ１６を評価し、仕様に従って、コントローラ１５に接続されているさらなる電子モジュール３３に命令を出す。そのような評価は、それぞれ、仕様又は選択されたソフトウェアの機能である。したがって、評価の結果は、極端に相違することがある。
【００４８】
例えば、コントローラ１５は、結合されたデバイス１の空間的配置を識別し、これらを保存し、これらをこの目的に適したモジュール３３にグラフィカルに表示する。又は、コントローラ１５は、その受信したデータ１６に基づいて、並びにデータベース３１からの情報に基づいてさらなるリストを生成し、計算を実行し、並びに／或いは例えば、ビジネスプラン、プロジェクトスケジュール、プロセススケジュール、青写真、又はスクラム／かんばんボード表示などの提案若しくはプランを作成する。
【００４９】
そのような評価の一例が図６に示されている。図５のデバイス１の配置の例を使用すると、番号１を有するデバイスは、上述のオムレツの調理の例によると、「買い物」を表すことができる。次いで、番号２を有するデバイス１は、「生地を準備する」及び「生地を焼く」を表し、番号４を有するデバイス１は、「詰め物を準備する」を表し、番号３を有するデバイス１は、「食べる」を表し、これがプロジェクトの終了を表す。「テーブルをセットする」を表すさらなるデバイス１は、番号２を有するデバイス１と平行な番号４を有するデバイス１の後ろに隠されている可能性がある。時間軸は、この例では、左から右に走り、横向きのデバイス１は、中間結果又は最終結果を表し、タイムライン上の同じ場所にあるすべてのプロセスも同時に行われる。図６に、この例が視覚化されている。例えば、結婚式、開発プロジェクト、又はオリンピック大会を計画する場合、そのような例が任意により複雑になる可能性があることは明白である。
【００５０】
本発明の利点は、ディスプレイ上に表示される仮想の構造とは反対に、デバイス１が触覚を有するということである。したがって、個々のタスクをタッチし、互いに接続し、互いの内部に接続し、互いに分離し、つまみ上げ、別のテーブルに又は隣の部屋に運ぶことで、階層なしに個々のグループの邪魔されない同時作業を行うことができる。加えて、デバイス１の前面及び背面に互いに独立してラベル付けすることができ、したがって、さらなる作業オプションが可能になる。構造の視覚化は、構造が３次元的に接続されて、異なる高さと体積を表すことができ、それによってパワーが表示されるため、特に魅力的である。参加者又はユーザは、構造の周りを歩くことができる。すべての情報がユーザに同時に明らかにされるわけではなく、例えば、ある特定のフィルタが設定されるが、他方では、構造の周りを歩くときに現れるデバイス１に焦点が合わされ、他のデバイス１は現れない。
【００５１】
本発明のさらなる利点が図７に記載されている。本図は、垂直方向並びに水平方向にエネルギー及び情報を送受信するのに適したデバイス１を示す。したがって、デバイス１は、２つの接続されたＮＦＣトランスポンダ／受信機２５を含む電子システムを備え、そのうちの１つは、それぞれの場合に、水平又は垂直にそれぞれ配置されている。ＮＦＣトランスポンダ／受信機２５は、それらの配向に応じて、それらの領域の配向に直交する両方の部屋にエネルギー及び情報を送受信することができる。ここで、他のデバイス１がこのデバイス１の近くにある場合、特に、それらは、磁石で直接又は間接的にデバイス１に固定されているため、エネルギー及び情報は、複数のＮＦＣのトランスポンダ／受信機２５を介して輸送することができる。これらのデバイス１のうちの第１のデバイス１は、好ましくは、バッテリ又は主電源などの電源に接続されたＮＦＣトランスポンダ／受信機によって誘導的に給電される。
【００５２】
したがって、情報は、複数の段階を介して異なるデバイス１から照会及び収集され得て、そのため、最終的にボタンにタッチすると、グループ全体に関するすべての情報をコントローラ１５に送信することができる。照会されたＮＦＣのトランスポンダ／受信機２５は、さらなるＮＦＣトランスポンダ／受信機２５が、近くに、すなわち、その受信範囲内に位置することに関する情報を提供することができるだけでなく、信号応答の強度に基づいてそこまでの距離の推定値も提供する。コントローラ１５は、この情報に基づいて、個々のデバイスの互いの空間的配置を決定及び評価することができる。したがって、図６に関連して説明したように、グループは、全体としてボタンにタッチすることで識別及び評価され得る。
【００５３】
本方法によって、少なくとも２個又は３〜８個のデバイス１の情報が、十分な給電及び／又は巧妙な配置の場合は、最大１２個又は１５個のデバイス１の情報もカスケードで収集することができることがわかる。したがって、側枝が含まれる場合は、もっと多い。
【００５４】
それぞれがすべての側面に少なくとも１つのＮＦＣトランスポンダ／受信機２５を含む立方体又はブロックの形状のデバイス１が、ここで、さらなる図示されない例として言及される。例えば８個のそのような立方体を積み重ねてタワーを形成する場合、これらの立方体からのすべて情報を収集することができ、ボタンをタッチすることによってコントローラ１５に送信することができる。したがって、そのようなデバイス１の横方向の長さは、互いに内部的に接続された十分な数のＮＦＣトランスポンダ／受信機２５が各表面セグメント６に配置されている限り、無関係である。ＮＦＣトランスポンダ／受信機２５の範囲が数センチメートルにすぎない、例えば７ｃｍであるという事実により、デバイス１は、それに対応して寸法を小さくでき、又は必要な数のＮＦＣトランスポンダ／受信機２５を装備することができる。
【００５５】
加えて、時系列を指定することは、非常に容易に可能である。それぞれがＮＦＣトランスポンダ／受信機２５、及び好ましくは永久磁石又は強磁性体を含む単純な接続によって、例えば、ひもによって接続された２つのオブジェクトを、「最初」及び「後」として識別することができ、それに応じてそれらのＩＤ番号１１でデータベース３１に保存することができる。これらのオブジェクトが最終的に２つの異なるグループに取り付けられると、コントローラは、一方のグループの作業が「最初」に実行され、他方のグループの作業が「後」で実行されなければならないことを明確に認識することができる。図には示されていないこの種の接続されたオブジェクトは、順番、階層、又は内部構造を指定するために、他のデバイスでも適宜利用され得る。
【符号の説明】
【００５６】
１  デバイス
２  ハウジング
２ａ  ハウジング上の膜
３  内部空間
４  コーナ
５  エッジ
６  表面セグメント
７  ケージ
８  永久磁石、磁石
９  電子ユニット
１０  データメモリ
１１  ＩＤ番号
１２  スイッチ
１３  送信機
１４  アンテナ
１５  コントローラ
１６  データ、測定データ
１７  圧電素子
１８  ＲＦＩＤトランスポンダ
１９  グリッド
２０  領域の中心
２１  プレート
２２  背面セグメント
２３  位置センサ
２４  ホール磁石センサ
２５  送受信機システム、ＮＦＣトランスポンダ／受信機
２６  加速度センサ
２７  ノイズ・センサ
２８  無線送信機
２９  エネルギー貯蔵部
３０  セット
３１  データベース
３２  充電ステーション
３３  電子モジュール
３４  モデル、モデルプラン
ａ  グリッド間隔
【図１】
2020526854.tif 000003
【図２】
2020526854.tif 000004
【図３】
2020526854.tif 000005
【図４】
2020526854.tif 000006
【図５】
2020526854.tif 000007
【図６】
2020526854.tif 000008
【図７】
2020526854.tif 000009
【国際調査報告】
2020526854.tif 000010
2020526854.tif 000011
2020526854.tif 000012
2020526854.tif 000013
2020526854.tif 000014
2020526854.tif 000015